(57)【要約】【課題】  あるユーザーが画像形成装置で音声通信を行っている最中でも、別のユーザーが画像形成装置を使用可能とする。【解決手段】  ログイン管理部３２は、ユーザーＩＤに基づいてユーザー認証を行いユーザーのログインを許可する。転送制御部３３は、ログインを許可されたユーザーのユーザーＩＤに対応する電話番号の着信先を音声通信装置に切り換えさせる転送設定要求を、所定の呼転送制御装置に対して送信する。そして、ログイン管理部３２は、第１ユーザーがログインすると、第１ユーザーとは異なる第２ユーザーのログインを禁止し、音声通信装置により第１ユーザーのユーザーＩＤに対応する電話番号の音声通信が開始されると、第１ユーザーとは異なる第２ユーザーによる音声通信装置の使用を禁止しつつ第２ユーザーのログインを許可する。【選択図】  図１
2018074352.tif 000002
【特許請求の範囲】
【請求項１】
音声通信装置と、
ユーザーＩＤに基づいてユーザー認証を行いユーザーのログインを許可するログイン管理部と、
ログインを許可された前記ユーザーの前記ユーザーＩＤに対応する電話番号の着信先を前記音声通信装置に切り換えさせる転送設定要求を、所定の呼転送制御装置に対して送信する転送制御部とを備え、
前記ログイン管理部は、第１ユーザーがログインすると、前記第１ユーザーとは異なる第２ユーザーのログインを禁止し、前記音声通信装置により前記第１ユーザーの前記ユーザーＩＤに対応する前記電話番号の音声通信が開始されると、前記第１ユーザーとは異なる第２ユーザーによる前記音声通信装置の使用を禁止しつつ前記第２ユーザーのログインを許可すること、
を特徴とする画像形成装置。
【請求項２】
表示装置と、
画面を前記表示装置に表示するユーザーインターフェイス部とをさらに備え、
前記ユーザーインターフェイス部は、（ａ）ユーザーがログインしていない状態では第１ログイン画面を前記表示装置に表示し、（ｂ）前記第１ユーザーがログインした状態では前記第１ユーザーに対する操作画面を前記表示装置に表示し、（ｃ）前記第１ユーザーの前記音声通信が行われている状態では第２ログイン画面を前記表示装置に表示し、（ｄ）前記第２ユーザーがログインした状態では前記第２ユーザーに対する操作画面を前記表示装置に表示し、
前記第２ユーザーに対する操作画面では、前記音声通信装置の使用が禁止されること、
を特徴とする請求項１記載の画像形成装置。
【請求項３】
前記ログイン管理部は、（ａ）前記第１ユーザーの音声通信の開始時に前記第１ユーザーのログイン状態情報を保持しかつ前記第１ユーザーの音声通信を継続させつつ、前記第１ユーザーをログアウトさせ、（ｂ１）前記第１ユーザーの音声通信が終了したときに、前記第２ユーザーがログイン状態ではない場合、前記ログイン状態情報に基づいて、前記第１ユーザーをログイン状態に復帰させ、（ｂ２）前記第１ユーザーの音声通信が終了したときに、前記第２ユーザーがログイン状態である場合、前記ログイン状態情報を破棄することを特徴とする請求項１または請求項２記載の画像形成装置。
【請求項４】
請求項１から請求項３のうちのいずれか１項記載の画像形成装置と、
前記転送設定要求を受信し、前記転送設定要求に応じて前記着信先を切り換える前記呼転送制御装置とを備え、
前記呼転送制御装置は、前記電話番号宛ての呼を、現時点でその電話番号に割り当てられている着信先へ転送すること、
を特徴とする通信システム。
【請求項５】
前記呼転送制御装置は、前記音声通信装置以外の着信先へ呼を転送しているが音声通信が確立されていない状態で、前記呼転送要求を受信すると、ただちに、前記音声通信装置以外の着信先への呼の転送を中止して、前記音声通信装置へ前記呼を転送することを特徴とする請求項４記載の通信システム。
【請求項６】
前記画像形成装置は、ユーザー操作を検出する入力装置をさらに備え、
前記音声通信装置は、呼を受信しているが前記音声通信が確立されていない状態で、前記入力装置により所定のユーザー操作が検出された場合、所定の外部端末装置へ前記呼を転送させる呼転送要求を送信し、
前記呼転送制御装置は、前記呼転送要求を受信すると、前記音声通信装置への前記呼の転送を中止して、前記外部端末装置へ前記呼を転送すること、
を特徴とする請求項４記載の通信システム。
【発明の詳細な説明】
【技術分野】
【０００１】
本発明は、画像形成装置および通信システムに関するものである。
【背景技術】
【０００２】
ある通信システムでは、複合機が、その複合機の端末識別情報とユーザーの電話番号とをＳＩＰサーバーへ登録することで、ユーザーが外出先の複合機によって、自己の電話番号でファクシミリ通信を行うことができる（例えば特許文献１参照）。
【先行技術文献】
【特許文献】
【０００３】
【特許文献１】特開２００７−２５１８４６号公報
【発明の概要】
【発明が解決しようとする課題】
【０００４】
しかしながら、上述の通信システムでは、あるユーザーが複合機にログインしその複合機で通話をしている期間、別のユーザーがその複合機にログインしてその複合機を使用することができない。また、別のユーザーのために元のユーザーがログアウトすると、元のユーザーの処理が終了されるため、通話が切断されてしまう。
【０００５】
本発明は、上記の問題に鑑みてなされたものであり、あるユーザーが画像形成装置で音声通信を行っている最中でも、別のユーザーが画像形成装置を使用可能とする画像形成装置および通信システムを得ることを目的とする。
【課題を解決するための手段】
【０００６】
本発明に係る画像形成装置は、音声通信装置と、ユーザーＩＤに基づいてユーザー認証を行いユーザーのログインを許可するログイン管理部と、ログインを許可された前記ユーザーの前記ユーザーＩＤに対応する電話番号の着信先を前記音声通信装置に切り換えさせる転送設定要求を、所定の呼転送制御装置に対して送信する転送制御部とを備える。そして、前記ログイン管理部は、第１ユーザーがログインすると、前記第１ユーザーとは異なる第２ユーザーのログインを禁止し、前記音声通信装置により前記第１ユーザーの前記ユーザーＩＤに対応する前記電話番号の音声通信が開始されると、前記第１ユーザーとは異なる第２ユーザーによる前記音声通信装置の使用を禁止しつつ前記第２ユーザーのログインを許可する。
【０００７】
本発明に係る画像形成装置は、上述の画像形成装置と、前記転送設定要求を受信し、前記転送設定要求に応じて前記着信先を切り換える前記呼転送制御装置とを備える。そして、前記呼転送制御装置は、前記電話番号宛ての呼を、現時点でその電話番号に割り当てられている着信先へ転送する。
【発明の効果】
【０００８】
本発明によれば、あるユーザーが画像形成装置で音声通信を行っている最中でも、別のユーザーが画像形成装置を使用可能となる。
【０００９】
本発明の上記又は他の目的、特徴および優位性は、添付の図面とともに以下の詳細な説明から更に明らかになる。
【図面の簡単な説明】
【００１０】
【図１】図１は、本発明の実施の形態に係る通信システムの一例を示すブロック図である。
【図２】図２は、図１における操作パネル１１を示す正面図である。
【図３】図３は、第１ユーザー用の操作画面の一例を示す図である。
【図４】図４は、第２ユーザー用のログイン画面の一例を示す図である。
【図５】図５は、図１に示す画像形成装置１の状態遷移の一例を示す状態遷移図である。
【発明を実施するための形態】
【００１１】
以下、図に基づいて本発明の実施の形態を説明する。
【００１２】
図１は、本発明の実施の形態に係る通信システムの一例を示すブロック図である。図１に示す通信システムは、画像形成装置１、ＳＩＰ（Session Initiation Protocol）サーバー２、および構内交換機３を備える。画像形成装置１は、構内交換機３および広域コンピューターネットワーク４に接続されており、ＳＩＰサーバー２は、広域コンピューターネットワーク４に接続されており、構内交換機３は、公衆電話交換網５に接続されている。広域コンピューターネットワーク４は、インターネットなどの広域なＩＰ（Internet Protocol）ネットワークである。
【００１３】
ＳＩＰサーバー２は、ＩＰ電話網の呼転送制御装置として機能する。構内交換機３は、公衆電話交換網５のローカルな呼転送制御装置として機能する。
【００１４】
画像形成装置１は、印刷機能、画像読取機能、ファクシミリ機能、および音声通信機能を有する複合機である。音声通信機能は、ＩＰ電話、または公衆電話交換網５での電話（以下、一般電話という）でユーザーの通話を実現する。
【００１５】
画像形成装置１は、操作パネル１１、受話装置１２、通信装置２１、モデム２２、印刷装置２３、画像読取装置２４、およびコントローラー２５を備える。
【００１６】
操作パネル１１は、液晶ディスプレイなどの表示装置１１ａ、およびタッチパネルなどの入力装置１１ｂを備え、ユーザーに対する操作画面の表示およびユーザーの入力操作の検出を行う。表示装置１１ａは、ユーザーに対して操作画面を表示し、入力装置１１ｂは、ユーザーにより入力されるユーザー操作を受け付ける。
【００１７】
受話装置１２は、ユーザーの音声を検出するマイクロフォンおよびユーザーへ音声を出力するスピーカーを備え、音声通信の開始および終了のためのユーザー操作を検出するセンサーを備える。例えば、画像形成装置１の本体とは別体の受話器にマイクロフォンおよびスピーカーを内蔵させ、画像形成装置１の本体に対してその受話器を着脱するユーザー操作を、音声通信の開始および終了のためのユーザー操作として検出するようにしてもよい。
【００１８】
図２は、図１における操作パネル１１を示す正面図である。図２に示す操作パネル１１は、入力装置１１ｂとして、ハードキー５１〜５５およびタッチパネル５６を有する。ハードキー５１は、電源キーであり、ハードキー５２は、スタートキーであり、ハードキー５３は、ストップ／クリアキーであり、ハードキー５４は、テンキーであり、ハードキー５５は、ログアウトキーを示す。タッチパネル５６は、表示装置１１ａの表示面に配置されている。なお、図２に示す操作パネル１１においては、ユーザーがログインしていない状態に対応するログイン画面が表示されている。
【００１９】
また、通信装置２１は、広域コンピューターネットワーク４に接続され、広域コンピューターネットワーク４に接続された他の装置との間で所定の通信プロトコルでデータ通信を行う装置である。通信装置２１は、ＩＰ電話のための音声通信装置として機能する。
【００２０】
また、モデム２２は、構内交換機３に接続され、構内交換機３を介して、公衆電話交換網５に接続された他の装置との間で音声通信を行う装置である。モデム２２は、ファクシミリ送受信に使用されるとともに、公衆電話交換網５を介する電話のための音声通信装置として機能する。
【００２１】
また、印刷装置２３は、例えば電子写真方式で原稿画像を印刷用紙に印刷する内部デバイスである。また、画像読取装置２４は、原稿から原稿画像を光学的に読み取り、原稿画像の画像データを生成する内部デバイスである。
【００２２】
また、コントローラー２５は、図示せぬＣＰＵ（Central Processing Unit）、ＲＯＭ（Read Only Memory）、ＲＡＭ（Random Access Memory）などを有するコンピューターを備え、ＲＯＭまたは図示せぬ記憶装置に記憶されているプログラムをＲＡＭへロードし、そのプログラムをＣＰＵで実行することにより、各種処理部として動作する。コントローラー２５は、ＡＳＩＣ（Application Specific Integrated Circuit）を備え、ＡＳＩＣで特定の処理を実行するようにしてもよい。
【００２３】
ここでは、コントローラー２５は、ユーザーインターフェイス部３１、ログイン管理部３２、および転送制御部３３として動作する。
【００２４】
ユーザーインターフェイス部３１は、操作パネル１１の表示装置１１ａに対して画面を表示させるとともに、操作パネル１１の入力装置１１ｂで検出される入力操作に応じて、表示装置１１ａに表示される画面を遷移させる。
【００２５】
ログイン管理部３２は、ユーザーＩＤに基づいてユーザー認証を行いユーザーのログインを許可する。具体的には、ログイン管理部３２は、図示せぬ不揮発性の内蔵記憶装置に格納されているユーザーデータまたは外部の認証サーバーを使用して、ログイン画面に対して入力されたユーザーＩＤおよびパスワードに基づいてユーザー認証を実行する。そして、ログイン管理部３２は、ユーザー認証に成功した場合、ユーザーのログインを許可する。ログイン管理部３２は、ユーザー認証に失敗した場合、ユーザーのログインを許可せず、ログイン画面をそのまま継続して表示する。
【００２６】
転送制御部３３は、ログインを許可されたユーザー（以下、ログインユーザーという）のユーザーＩＤに対応する電話番号（内線番号または外線番号）の着信先を音声通信装置に切り換えさせる転送設定要求を、所定の呼転送制御装置（ＳＩＰサーバー２および構内交換機３）に対して送信する。その呼転送制御装置は、その転送設定要求を受信すると、受信した転送設定要求に応じて、そのユーザーＩＤに対応する電話番号の着信先を、デフォルトの着信先から転送設定要求の送信元の装置（つまり、ここでは画像形成装置１）へ一時的に切り換える。そして、その呼転送制御装置は、各ユーザーの電話番号宛ての呼を受け付けると、その呼を、現時点でその電話番号に割り当てられている着信先へ転送する。
【００２７】
なお、ユーザーＩＤに対応する電話番号を当該画像形成装置１の内蔵する記憶装置にユーザーデータとして格納しておき、転送制御部３３は、ユーザーデータに基づいてログインユーザーの電話番号を特定し、そのユーザーのユーザーＩＤおよび特定した電話番号を転送設定要求とともに呼転送制御装置に送信するようにしてもよい。また、呼転送制御装置がユーザーＩＤに対応する電話番号を予め保持しており、呼転送制御装置が、そのユーザーのユーザーＩＤおよび転送設定要求を受信した際に、そのユーザーＩＤに対応する電話番号を特定するようにしてもよい。
【００２８】
さらに、ログイン管理部３２は、第１ユーザー（ユーザーがログインしていない状態でログインするユーザー）がログインすると、第１ユーザーとは異なる第２ユーザーのログインを禁止する。具体的には、ログイン管理部３２は、第１ユーザーのログインを許可すると、ユーザーインターフェイス部３１に対して、第１ユーザーのための操作画面を表示装置１１ａに表示させるようにして、第１ユーザーとは異なる第２ユーザーのためのログイン画面を表示させないようにする。これにより、第２ユーザーのログインが禁止される。
【００２９】
そして、ログイン管理部３２は、音声通信装置（通信装置２１またはモデム２２）により第１ユーザーのユーザーＩＤに対応する電話番号の音声通信が開始されると、第２ユーザーによる音声通信装置の使用を禁止しつつ第２ユーザーのログインを許可する。具体的には、第１ユーザーの音声通信が開始されると、ログイン管理部３２は、ユーザーインターフェイス部３１に対して、第２ユーザーのためのログイン画面（第２ログイン画面）を表示装置１１ａに表示させる。第２ユーザーのログインが可能となる。ただし、その第２ログイン画面には、第１ユーザーの音声通信で使用されている音声通信装置（通信装置２１またはモデム２２）は、ログインしても使用できない旨のメッセージが表示される。そして、第１ユーザーの音声通信が行われている最中に、第２ユーザーがログインした場合、第１ユーザーの音声通信で使用されている音声通信装置（通信装置２１またはモデム２２）を使用する機能は、禁止される。
【００３０】
つまり、ユーザーインターフェイス部３１は、（ａ）ユーザーがログインしていない状態では第１ログイン画面（例えば図２に示す画面）を表示装置１１ａに表示し、（ｂ）第１ユーザーがログインした状態では第１ユーザーに対する操作画面（例えば図３に示す画面）を表示装置１１ａに表示し、（ｃ）第１ユーザーの音声通信が行われている状態では第２ログイン画面（例えば図４に示す画面）を表示装置１１ａに表示し、（ｄ）第２ユーザーがログインした状態では第２ユーザーに対する操作画面を表示装置１１ａに表示する。そして、第２ユーザーに対する操作画面では、音声通信装置の使用が禁止される。
【００３１】
図３は、第１ユーザー用の操作画面の一例を示す図である。図３に示す操作画面は、ログイン直後に表示されるメインメニュー画面である。このメインメニュー画面では、コピー機能、送信機能などの各種機能のアイコン１０１〜１０７、およびプログラムのリスト画面を表示させるためのプログラムアイコン１０８が表示される。なお、第１ユーザーに対しては、機能制限がないので、アイコン１０１〜１０８に対応するすべての機能が使用可能となっている。
【００３２】
図４は、第２ユーザー用のログイン画面の一例を示す図である。図４に示すログイン画面には、音声通信装置（通信装置２１またはモデム２２）は、ログインしても使用できない旨のメッセージ２０１が表示される。
【００３３】
さらに、ログイン管理部３２は、（ａ）第１ユーザーの音声通信の開始時に第１ユーザーのログイン状態情報（実行中の第１ユーザーの処理の情報など）を保持しかつ第１ユーザーの音声通信を継続させつつ第１ユーザーをログアウトさせ（つまり、仮ログアウトさせ）、（ｂ１）第１ユーザーの音声通信が終了したときに、第２ユーザーがログイン状態ではない場合、ログイン状態情報に基づいて、第１ユーザーをログイン状態に復帰させ（つまり、上述の処理を再開させ）、（ｂ２）第１ユーザーの音声通信が終了したときに、第２ユーザーがログイン状態である場合、ログイン状態情報を破棄する（つまり、完全にログアウトさせる）。このように、ログイン管理部３２は、音声通信開始時に、第１ユーザーを仮ログアウトさせておき、音声通信終了時に、第１ユーザーのログイン状態に復帰させるか、ログアウトさせる。
【００３４】
次に、当該実施の形態に係る通信システムにおける各装置の動作について説明する。図５は、図１に示す画像形成装置１の状態遷移の一例を示す状態遷移図である。
【００３５】
いずれのユーザーがログインしていない初期状態（状態ＳＴ１）では、ログイン管理部３２は、ユーザーインターフェイス部３１に、第１ログイン画面（上述のメッセージ２０１がないログイン画面）を表示装置１１ａに表示させる。
【００３６】
第１ユーザーが第１ログイン画面でログインすると、（ａ）転送制御部３３は、上述のように、ログインしたユーザーの電話番号宛ての呼を当該画像形成装置１へ転送させるための転送設定要求を呼転送制御装置（ＳＩＰサーバー２および構内交換機３）へ送信し、（ｂ）ログイン管理部３２は、状態ＳＴ２に移行し、ユーザーインターフェイス部３１に、第１ユーザー用の操作画面を表示装置１１ａに表示させる。
【００３７】
そして、状態ＳＴ２において、ユーザーインターフェイス部３１は、入力装置１１ｂに対する第１ユーザーのユーザー操作を検出すると、そのユーザー操作に従って操作画面を遷移させていくとともに、内部デバイスに、そのユーザー操作に対応する処理を実行させる。
【００３８】
そして、状態ＳＴ２において、第１ユーザーがログアウト操作を行った場合、入力装置１１ｂによりそのログアウト操作（例えばログアウトのハードキー５５の押下）が検出される。そのログアウト操作が検出されると、（ａ）ユーザーインターフェイス部３１は、第１ユーザーのログアウト処理（第１ユーザーの処理の終了など）を実行し、（ｂ）ログイン管理部３２は、状態ＳＴ１に戻り、ユーザーインターフェイス部３１に、第１ログイン画面を表示装置１１ａに表示させる。
【００３９】
なお、第１ユーザーがログアウト操作を行うと、転送制御部３３は、第１ユーザーの電話番号宛ての呼をデフォルトの着信先へ転送させるための転送設定要求を呼転送制御装置へ送信する。
【００４０】
また、状態ＳＴ２において、通信装置２１またはモデム２２により第１ユーザーの電話番号宛ての呼が受信されると、まず、受話装置１２が、着呼音を出力し、その後、所定のユーザー操作が入力装置１１ｂにより検出されると、ユーザーインターフェイス部３１は、通信装置２１またはモデム２２を制御して、発呼した装置との間での音声通信を確立する。
【００４１】
第１ユーザーの音声通信が確立され開始されると、ログイン管理部３２は、状態ＳＴ３に移行し、ユーザーインターフェイス部３１に、第２ログイン画面を表示させるとともに、第１ユーザーのログイン状態情報を保持しつつ第１ユーザーに自動的に仮ログアウトさせる。
【００４２】
その後、状態ＳＴ３において、別のユーザー（第２ユーザー）が第２ログイン画面でログインすると、（ａ）この時点では、転送制御部３３は、第２ユーザーの電話番号宛ての呼を当該画像形成装置１へ転送させるための転送設定要求を呼転送制御装置へ送信せず、（ｂ）ログイン管理部３２は、状態ＳＴ４に移行し、ユーザーインターフェイス部３１に、第２ユーザー用の操作画面を表示させる。
【００４３】
第２ユーザー用の操作画面は、第１ユーザー用の操作画面と同様である。ただし、第２ユーザー用の操作画面では、第１ユーザーの音声通信に使用されている通信装置２１またはモデム２２を使用する機能を選択できないようになっている。例えば、第１ユーザーの音声通信がＩＰ電話の音声通信である場合、通信装置２１が使用されているので、ユーザーインターフェイス部３１は、送信機能のアイコン１０３を消去したりグレイアウトしたりして、送信機能を選択できないようにする。また、例えば、第１ユーザーの音声通信が公衆電話交換網５の電話の音声通信である場合、モデム２２が使用されているので、ユーザーインターフェイス部３１は、ファクシミリ機能のアイコン１０６を消去したりグレイアウトしたりして、ファクシミリ機能を選択できないようにする。
【００４４】
そして、状態ＳＴ４において、ユーザーインターフェイス部３１は、入力装置１１ｂに対する第２ユーザーのユーザー操作を検出すると、そのユーザー操作に従って操作画面を遷移させていくとともに、内部デバイスに、そのユーザー操作に対応する処理を実行させる。
【００４５】
また、状態ＳＴ３において（つまり、第２ユーザーがログインしていない状態で）、第１ユーザーの音声通信の終了が検出されると、ログイン管理部３２は、第１ユーザーのログイン状態情報で、第１ユーザーのログイン状態を復帰させ、状態ＳＴ２に移行し、ユーザーインターフェイス部３１に、第１ユーザー用の操作画面を再度表示装置１１ａに表示させる。
【００４６】
一方、状態ＳＴ４において（つまり、第２ユーザーがログインしている状態で）、第１ユーザーの音声通信の終了が検出されると、ログイン管理部３２は、状態ＳＴ５に移行し、第１ユーザーのログイン状態情報を破棄し、第１ユーザーの使用していた音声通信装置を使用する機能の使用禁止を解除し、ユーザーインターフェイス部３１は、第２ユーザーの操作画面において、使用禁止されていた機能に対応するアイコンの非表示またはグレイアウトを解除する。これにより、第２ユーザーは、そのような機能も使用できるようになる。また、状態ＳＴ４において、第１ユーザーの音声通信の終了が検出されると、転送制御部３３は、第１ユーザーの電話番号宛ての呼をデフォルトの着信先に転送させるための転送設定要求および第２ユーザーの電話番号宛ての呼を当該画像形成装置１の音声通信装置へ転送させるための転送設定要求を呼転送制御装置へ送信する。
【００４７】
そして、状態ＳＴ４において、第２ユーザーがログアウト操作を行った場合、入力装置１１ｂによりそのログアウト操作が検出されると、（ａ）ユーザーインターフェイス部３１は、第２ユーザーのログアウト処理（第２ユーザーの処理の終了など）を実行し、（ｂ）ログイン管理部３２は、状態ＳＴ３に戻り、ユーザーインターフェイス部３１に、第２ログイン画面を表示装置１１ａに表示させる。
【００４８】
一方、状態ＳＴ５において、第２ユーザーがログアウト操作を行った場合、入力装置１１ｂによりそのログアウト操作が検出されると、（ａ）ユーザーインターフェイス部３１は、第２ユーザーのログアウト処理（第２ユーザーの処理の終了など）を実行し、（ｂ）ログイン管理部３２は、状態ＳＴ１に戻り、ユーザーインターフェイス部３１に、第１ログイン画面を表示装置１１ａに表示させる。
【００４９】
なお、状態ＳＴ５で第２ユーザーがログアウト操作を行うと、転送制御部３３は、第２ユーザーの電話番号宛ての呼をデフォルトの着信先へ転送させるための転送設定要求を呼転送制御装置へ送信する。
【００５０】
以上のように、上記実施の形態によれば、ログイン管理部３２は、ユーザーＩＤに基づいてユーザー認証を行いユーザーのログインを許可する。転送制御部３３は、ログインを許可されたユーザーのユーザーＩＤに対応する電話番号の着信先を音声通信装置に切り換えさせる転送設定要求を、所定の呼転送制御装置に対して送信する。そして、ログイン管理部３２は、第１ユーザーがログインすると、第１ユーザーとは異なる第２ユーザーのログインを禁止し、音声通信装置により第１ユーザーのユーザーＩＤに対応する電話番号の音声通信が開始されると、第１ユーザーとは異なる第２ユーザーによる音声通信装置の使用を禁止しつつ第２ユーザーのログインを許可する。
【００５１】
これにより、あるユーザーが画像形成装置１で音声通信を行っている最中でも、別のユーザーが画像形成装置１を使用可能となる。
【００５２】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００５３】
例えば、上記実施の形態において、呼転送制御装置（ＳＩＰサーバー２および構内交換機３）は、画像形成装置１の音声通信装置以外の着信先（例えばデフォルトの着信先）へ、第１ユーザーの電話番号宛ての呼を転送しているが音声通信が確立されていない状態で、上述の呼転送要求を画像形成装置１の音声通信装置から受信すると、ただちに、音声通信装置以外の着信先への呼の転送を中止して、画像形成装置１の音声通信装置へ前記呼を転送するようにしてもよい。
【００５４】
これにより、デフォルトの着信先の装置から画像形成装置１へ第１ユーザーが移動している最中に、デフォルトの着信先の装置が着呼しても、第１ユーザーは、移動先の画像形成装置１でその呼を受け付けて通話を行うことができる。
【００５５】
また、上記実施の形態において、画像形成装置１の音声通信装置は、第１ユーザーの電話番号宛ての呼を受信しているが音声通信が確立されていない状態で、入力装置１１ｂにより所定のユーザー操作（例えば図示せぬ特定の呼転送キーの押下）が検出された場合、特定の外部端末装置（第１ユーザーの端末装置など）へその呼を転送させる呼転送要求を送信し、呼転送制御装置は、その呼転送要求を受信すると、音声通信装置への呼の転送を中止して、その外部端末装置へその呼を転送するようにしてもよい。
【００５６】
これにより、第１ユーザーが画像形成装置１を使用している最中に、画像形成装置１が着呼しても、第１ユーザーは、画像形成装置１から離れて、自己の端末装置（デフォルトの着信先、予め指定されている特定の携帯端末装置など）でその呼を受け付けて通話を行うことができる。
【００５７】
また、上記実施の形態において、ＩＤカードによるログインが可能としてもよい。その場合、第１ログイン画面（例えば図２に示す画面）および第２ログイン画面（例えば図４に示す画面）において、ＩＤカードによるログインも可能である旨のメッセージを併せて表示するようにしてもよい。
【産業上の利用可能性】
【００５８】
本発明は、例えば、複合機などの画像形成装置に適用可能である。
【符号の説明】
【００５９】
１  画像形成装置
２  ＳＩＰサーバー（呼転送制御装置の一例）
３  構内交換機（呼転送制御装置の一例）
１１ａ  表示装置
１１ｂ  入力装置
２１  通信装置（音声通信装置の一例）
２２  モデム（音声通信装置の一例）
３１  ユーザーインターフェイス部
３２  ログイン管理部
３３  転送制御部
【図１】
2018074352.tif 000003
【図２】
2018074352.tif 000004
【図３】
2018074352.tif 000005
【図４】
2018074352.tif 000006
【図５】
2018074352.tif 000007